【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
締め付け部が着脱自在であるヘッド部を有するレンチボディと、
前記レンチボディ内に設けられており且つ前記締め付け部に係合可能な第１端部と、前記第１端部の反対側の第２端部とを有するトルク伝達部と、
前記トルク伝達部の第２端部に当接しており且つ当該トルク伝達部を通じて前記締め付け部にかかる荷重を受け、電気信号に変換して出力可能なロードセルとを備えているトルクレンチ。
【請求項２】
締め付け部と、
前記締め付け部が設けられたヘッド部を有するレンチボディと、
前記レンチボディ内に設けられており且つ前記締め付け部に係合した第１端部と、前記第１端部の反対側の第２端部とを有するトルク伝達部と、
前記トルク伝達部の第２端部に当接しており且つ当該トルク伝達部を通じて前記締め付け部にかかる荷重を受け、電気信号に変換して出力可能なロードセルとを備えているトルクレンチ。
【請求項３】
請求項１又は２記載のトルクレンチにおいて、
前記ロードセルは、凸状のロード部を有しており、
前記トルク伝達部の第２端部には、前記ロードセルのロード部が挿入された凹部が設けられており、
前記ロード部の高さ寸法が前記凹部の深さ寸法よりも大きいトルクレンチ。
【請求項４】
請求項１又は２記載のトルクレンチにおいて、
前記ロードセルは、凹状のロード部を有しており、
前記トルク伝達部の第２端部には、前記ロードセルのロード部に挿入された凸部が設けられており、
前記凸部の高さ寸法が前記ロード部の深さ寸法よりも大きいトルクレンチ。
【請求項５】
請求項１〜４の何れかに記載のトルクレンチにおいて、
前記レンチボディは、前記ヘッド部が設けられた先端部と、後端部とを有しており、
前記トルク伝達部の第２端部は、前記レンチボディの後端部から突出しており、
前記ロードセルは、前記レンチボディの後方に配置され、前記第２端部に当接しているトルクレンチ。
【請求項６】
請求項１〜５の何れかに記載のトルクレンチにおいて、
前記締め付け部の外周面にはラチェット溝が設けられており、
前記トルク伝達部は、前記第１端部に設けられ、前記ラチェット溝に係合可能な爪部を更に有しているトルクレンチ。
【請求項７】
請求項６記載のトルクレンチにおいて、
前記トルクレンチは、前記レンチボディに当該レンチボディの長さ方向に移動自在に外嵌しており且つ前記ロードセルに取り付けられたスリーブと、
前記レンチボディに設けられた第１当て止め部と、
前記第１当て止め部と前記スリーブの間に設けられた第１付勢部とを更に備えており、
前記締め付け部は前記ヘッド部に対して回転自在になっており、
前記トルク伝達部は、前記レンチボディ内に前記長さ方向に移動自在に収容されており、
前記ラチェット溝は、第１、第２壁を有しており、
前記爪部は、前記第１壁に当接し、前記締め付け部の第１方向の回転を規制する当て止め面と、
前記第２壁を押圧し、前記レンチボディをその先端側に移動させる傾斜面とを有しているトルクレンチ。
【請求項８】
請求項６記載のトルクレンチにおいて、
前記トルクレンチは、前記レンチボディに当該レンチボディの長さ方向に移動自在に外嵌しており且つ前記ロードセルに取り付けられたスリーブと、
前記レンチボディに設けられた第１当て止め部と、
前記第１当て止め部と前記スリーブの間に設けられた第１付勢部とを更に備えており、
前記締め付け部は前記ヘッド部に対して回転自在になっており、
前記トルク伝達部は、前記レンチボディ内に前記長さ方向に移動自在に収容されており、
前記ラチェット溝は、第１、第２壁を有しており、
前記第１壁は、前記爪部に当接し、前記締め付け部の第１方向の回転を規制する当て止め面を有し、
前記第２壁は、前記爪部に押圧され、前記レンチボディをその先端側に移動させる傾斜面を有しているトルクレンチ。
【請求項９】
請求項７又は８記載のトルクレンチにおいて、
前記トルク伝達部は、第２当て止め部を更に有し、
前記トルクレンチは、前記レンチボディに設けられた第３当て止め部と、
前記第１、第３当て止め部間に設けられた第２付勢部とを更に備えているトルクレンチ。
【請求項１０】
請求項３記載のトルクレンチにおいて、
前記ロードセルは、前記ロード部の周りに立設され且つ当該ロード部よりも高さ寸法が大きい保護壁を更に有しているトルクレンチ。
【請求項１１】
請求項１〜１０の何れかに記載のトルクレンチと、
トルク演算装置とを備えており、
前記トルク演算装置は、前記トルクレンチのロードセルの電気信号に基づいて前記締め付け部の締め付けトルクを演算するトルク演算部を備えている締め付け装置。
【請求項１２】
請求項１１記載の締め付け装置において、
前記トルク演算装置は、前記締め付けトルクの変化量又は変化率を所定期間ｔ毎にサンプリングし、先の所定期間ｔの締め付けトルクの変化量又は変化率と、当該先の所定期間ｔの直後の所定期間ｔの締め付けトルクの変化量又は変化率とを順次比較し、後者の変化量又は変化率が前者の変化量又は変化率よりも小さいか否かを判定するすべり判定部と、
前記すべり判定部により後者の変化量又は変化率が前者の変化量又は変化率よりも小さいと判定されたときに、前記締め付け部の締め付け状態がすべり現象発生の直前であることを報知する報知部とを更に備えている締め付け装置。
【請求項１３】
請求項１１記載の締め付け装置において、
前記トルク演算装置は、前記締め付けトルクの変化量又は変化率を所定期間ｔ毎にサンプリングし、所定期間ｔの締め付けトルクの変化量又は変化率が所定範囲内であるか否かを判定するすべり判定部と、
前記すべり判定部により所定期間ｔの締め付けトルクの変化量又は変化率が所定範囲内であると判定されたときに、前記締め付け部の締め付け状態がすべり現象発生の直前であることを報知する報知部とを備えている締め付け装置。
【手続補正２】
【補正対象書類名】明細書
【補正対象項目名】００１４
【補正方法】変更
【補正の内容】
【００１４】
前記第１、第２トルクレンチは、前記レンチボディに当該レンチボディの長さ方向に移動自在に外嵌しており且つ前記ロードセルに取り付けられたスリーブと、前記レンチボディに設けられた第１当て止め部と、前記第１当て止め部と前記スリーブの間に設けられた第１付勢部とを更に備えた構成とすることが可能である。この場合、前記締め付け部は前記ヘッド部に対して回転自在になっている。前記トルク伝達部は、前記レンチボディ内に前記長さ方向に移動自在に収容されている。
【手続補正３】
【補正対象書類名】明細書
【補正対象項目名】００１５
【補正方法】変更
【補正の内容】
【００１５】
前記ラチェット溝は、第１、第２壁を有する構成とすることが可能である。前記爪部は、前記第１壁に当接し、前記締め付け部の第１方向の回転を規制する当て止め面と、前記第２壁を押圧し、前記レンチボディをその先端側に移動させる傾斜面とを有する構成とすることが可能である。
【手続補正４】
【補正対象書類名】明細書
【補正対象項目名】００１７
【補正方法】変更
【補正の内容】
【００１７】
或いは、前記ラチェット溝は、第１、第２壁を有する構成とすることが可能である。前記第１壁は、前記爪部に当接し、前記締め付け部の第１方向の回転を規制する当て止め面を有している。前記第２壁は、前記爪部に押圧され、前記レンチボディをその先端側に移動させる傾斜面を有している。
【手続補正５】
【補正対象書類名】明細書
【補正対象項目名】００１９
【補正方法】変更
【補正の内容】
【００１９】
前記トルク伝達部は、第２当て止め部を更に有する構成とすることが可能である。前記第１、第２トルクレンチは、前記レンチボディに設けられた第３当て止め部と、前記第２、第３当て止め部間に設けられた第２付勢部とを更に備えた構成とすることが可能である。このような発明の態様による場合、第２付勢部の付勢力により、トルク伝達部が先端側に付勢される。
【手続補正６】
【補正対象書類名】明細書
【補正対象項目名】００２１
【補正方法】変更
【補正の内容】
【００２１】
本発明の締め付け装置は、上述した何れかの態様の第１又は第２トルクレンチと、トルク演算装置とを備えている。前記トルク演算装置は、前記第１又は第２トルクレンチのロードセルの電気信号に基づいて前記締め付け部の締め付けトルクを演算するトルク演算部を備えている。
【手続補正７】
【補正対象書類名】明細書
【補正対象項目名】００２３
【補正方法】変更
【補正の内容】
【００２３】
前記トルク演算装置は、すべり判定部と、報知部とを更に備えた構成とすることが可能である。前記すべり判定部は、前記締め付けトルクの変化量又は変化率を所定期間ｔ毎にサンプリングし、先の所定期間ｔの締め付けトルクの変化量又は変化率と、当該先の所定期間ｔの直後の所定期間ｔの締め付けトルクの変化量又は変化率とを順次比較し、後者の変化量又は変化率が前者の変化量又は変化率よりも小さいか否かを判定する内容とすることが可能である。前記報知部は、前記すべり判定部により後者の変化量又は変化率が前者の変化量又は変化率よりも小さいと判定されたときに、前記締め付け部の締め付け状態がすべり現象発生の直前であることを報知する内容とすることが可能である。
【手続補正８】
【補正対象書類名】明細書
【補正対象項目名】００２４
【補正方法】変更
【補正の内容】
【００２４】
トルクレンチの締め付け部にナット等の固着部材を係合させ、レンチ本体のハンドル部を手動操作して固着部材をボルト等の固着対象に螺着させる締め付け作業時において、固着部材が固着対象に対して回転し、その抵抗が向上しているときは、所定期間ｔにおける締め付けトルクの変化量又は変化率（すなわち、前者の変化量又は変化率）が大きく変化する。これに対し、固着部材が固着対象に対して螺着し、その抵抗の変化が小さくなるときには、所定期間ｔにおける締め付けトルクの変化量又は変化率（すなわち、後者の変化量又は変化率）が小さくなる。本願発明の発明者らは、後者の変化が前者の変化の直後に発生することに着目して上述の態様の締め付け装置を発明した。この締め付け装置は、すべり判定部が所定期間ｔ毎に締め付けトルクの変化量又は変化率をサンプリングし、後者の変化量又は変化率が前者の変化量又は変化率よりも小さいと判定したときに、報知部が、締め付け状態がすべり現象発生の直前であることを作業者に報知させる構成となっている。このため、作業者は、すべり現象が起こる直前の限界トルク値で固着部材を固着対象に対して締め付けを止めることが可能になるので、すべり現象の発生を抑制することができる。
【手続補正９】
【補正対象書類名】明細書
【補正対象項目名】００２５
【補正方法】変更
【補正の内容】
【００２５】
或いは、前記すべり判定部は、前記締め付けトルクの変化量又は変化率を所定期間ｔ毎にサンプリングし、所定期間ｔの締め付けトルクの変化量又は変化率が所定範囲内であるか否かを判定する内容とすることが可能である。前記報知部は、前記すべり判定部により所定期間ｔの締め付けトルクの変化量又は変化率が所定範囲内であると判定されたときに、前記締め付け部の締め付け状態がすべり現象発生の直前であることを報知する内容とすることが可能である。
【手続補正１０】
【補正対象書類名】明細書
【補正対象項目名】００２６
【補正方法】変更
【補正の内容】
【００２６】
このような発明の態様による場合、すべり判定部が所定期間ｔ毎に締め付けトルクの変化量又は変化率をサンプリングし、所定期間ｔの締め付けトルクの変化量又は変化率が所定範囲内であると判定したときに、報知部が、締め付け状態がすべり現象発生の直前であることを作業者に報知させる構成となっている。このため、作業者は、すべり現象が起こる直前の限界トルク値で固着部材を固着対象に対して締め付けを止めることが可能になるので、すべり現象の発生を抑制することができる。
【手続補正１１】
【補正対象書類名】明細書
【補正対象項目名】００５９
【補正方法】変更
【補正の内容】
【００５９】
その後、設定入力部７０が操作され、締め付け作業の終了の設定入力がされ（ｓ９）、結果印刷の操作がなされると（ｓ１０）、マイコン５０がメモリ部６０に記録された締め付けトルクを読み出して外部出力部８０を通じてプリンタに印刷出力する（ｓ１１）。その後、設定入力部７０のＣＳＶ出力の操作がなされると（ｓ１２）、マイコン５０がメモリ部６０に記録された締め付けトルクを読み出して外部出力部８０を通じてＵＳＢメモリ等の記録手段にＣＳＶ出力する（ｓ１３）。なお、締め付けトルクのデータ出力の形式としては、ＣＳＶ出力に限定されることはなく、その他の任意のデータ形式で出力することが可能である。また、締め付けトルクの出力対象としても、ＵＳＢメモリ等の記録手段に限定されるものではなく、ＰＣや電子カルテシステム等の各種の電子機器に出力することが可能である。
【手続補正１２】
【補正対象書類名】明細書
【補正対象項目名】００７４
【補正方法】変更
【補正の内容】
【００７４】
実施例１では、マイコン５０が締め付けトルクの変化量を所定期間ｔ（ｔ１〜ｔｎ）毎にサンプリングし、当該先の所定期間ｔの締め付けトルクの変化量と、その直後の所定期間ｔの締め付けトルクの変化量とを順次比較し、後者の変化量が前者の変化量よりも小さいか否かを判定するとした。しかし、これに限定されるものではない。例えば、マイコン５０は、締め付けトルクの変化率を所定期間ｔ（ｔ１〜ｔｎ）毎にサンプリングし、当該先の所定期間ｔの締め付けトルクの変化率（上昇率）と、その直後の所定期間ｔの締め付けトルクの変化率（上昇率）とを順次比較し、後者の変化率が前者の変化率よりも小さいか否かを判定するように設計変更することが可能である。また、マイコン５０は、締め付けトルクの変化量又は変化率を所定期間ｔ毎にサンプリングし、所定期間ｔの締め付けトルク値の変化量（上昇量）又は変化率（上昇率）が所定範囲内の変化量（上昇量）又は変化率（上昇率）であるか否かを判定する構成に設計変更することが可能である。この場合、ブザー９３等の報知部は、マイコン５０が所定期間ｔの締め付けトルク値の変化量又は変化率が所定範囲内（例えば、図６のｔ５、ｔ１０、ｔ１４のように締め付けトルクの変化量が所定範囲内）であると判定されたときに、固着部材の固着対象に対する締め付け状態がすべり現象発生の直前であることを報知するように設計変更することが可能である。この場合であっても、所定期間ｔの締め付けトルク値の変化量又は変化率が所定範囲内であると所定回数判定したときに、報知部が動作するように設計変更することが可能である。なお、締め付けトルクの変化量又は変化率の前記所定範囲の値は、マイコン５０の内部メモリ又はメモリ部６０に予め記録されている。
【手続補正１３】
【補正対象書類名】明細書
【補正対象項目名】００７５
【補正方法】変更
【補正の内容】
【００７５】
上述した締め付け装置は、トルクレンチＷと、トルク演算装置Ｄとを備えているとした。しかし、締め付け装置は、上記トルクレンチと、トルク演算部とを備えた構成とすることが可能である。また、締め付け装置は、上記トルクレンチと、トルク演算部と、このトルク演算部により演算された締め付けトルクを表示可能な表示部とを備えた構成とすることが可能である。すなわち、すべり判定部５２は省略可能である。また、マイコンを用いずトルク演算部及び／又はすべり判定部と同様の機能を電子回路により発揮するように構成することも可能である。更に、上述したようにマイコン５０が所定期間ｔの締め付けトルク値の変化量が所定範囲内であるか否かを判定する場合も、マイコンを用いず同様の機能を電子回路により発揮するように構成することも可能である。
【手続補正１４】
【補正対象書類名】明細書
【補正対象項目名】００７６
【補正方法】変更
【補正の内容】
【００７６】
上述したトルク演算部５１は、トルク基準値をメモリ部６０から読み出し、当該締め付けトルク基準値及びトルク検出部であるロードセルの電気信号に基づいて締め付けトルクを演算するとした。しかし、トルク演算部は、上記ロードセルの電気信号に基づいて締め付け部の締め付けトルクを演算するものである限り任意に設計変更することが可能である。なお、トルク演算部はトルクレンチに設けられた構成とすることが可能である。
【手続補正１５】
【補正対象書類名】明細書
【補正対象項目名】００７７
【補正方法】変更
【補正の内容】
【００７７】
実施例１では、報知部としてブザー９３を用いるとしたが、これに限定されるものではない。例えば、作業者が、液晶表示部９１に表示されたトルク曲線を見て上記すべり検出時であると判断するように設計変更することが可能である。また、マイコン５０により、上記後者の変化量又は変化率が上記前者の変化量又は変化率よりも小さいと判定されたとき又は所定期間ｔの締め付けトルク値の変化量又は変化率が所定範囲内であると判定されときに、液晶表示部９１にエラー表示させたり、７セグ表示部９２に数値表示すると共に点滅させる等することによりエラー表示させたりするように設計変更することが可能である。また、報知部としてＬＥＤランプ等の発光装置を用いることも可能である。更に、報知部として、ブザー、発光装置、グラフ表示装置及び数値表示装置を選択的に組み合わせた構成とすることも可能である。なお、トルク演算部により得られた締め付けトルクは、液晶表示部９１及び７セグ表示部９２以外の表示部に表示させることが可能である。表示部がトルクレンチに設けられた構成とすることが可能である。